(57)【特許請求の範囲】
【請求項１】
両側面の上部と下部にピンを立設してなる第１の金具を映像機器の背面に固定し、両側面の上端部に波形凹部を、下部に鈎形切り欠きを設けてなる第２の金具を壁面に固定し、前記第１の金具上部に設けたピンを前記第２の金具の波形凹部に挿嵌し、前記第１の金具の下部に設けたピンを前記第２の金具の鈎形切り欠きに挿嵌し、さらに、鈎形切り欠きを備え、且つ前記第２の金具の両側面の下部に上下方向に摺動可能に添接され、引張コイルばねにより下方向に付勢されるロック金具により、前記第１の金具の下部に設けたピンを下方向に付勢することで第１の金具が第２の金具からの外れを防止し、前記映像機器を壁に取り付けるようにしたことを特徴とする壁掛け型映像機器。
【請求項２】
波形凹部へ挿嵌するピンの位置を変更することにより前記映像機器の取付け角度を調節可能に構成したことを特徴とする請求項１記載の壁掛け型映像機器。
【発明の詳細な説明】
【０００１】
【発明の属する技術分野】
本発明はプラズマディスプレイ等の壁掛け型映像機器に関する。
【０００２】
【従来の技術】
従来、壁掛け型平面型ディスプレイとして、例えば、実開平５−４６１８４号公報などが提案されている。
【０００３】
【発明が解決しようとする課題】
しかし、実開平５−４６１８４号公報の構成においては、簡単に壁に引っ掛けたり、取り外す構成となっていない。４箇所のねじ締結またはねじ緩めを必要とする。
【０００４】
本発明は映像機器を壁に簡単に引っ掛け固定でき、角度変更が安全に、かつ容易に行える壁掛け型映像機器を提供することを目的とする。
【０００５】
この課題を解決するために本発明の壁掛け型映像機器は、両側面の上部と下部にピンを立設してなる第１の金具を映像機器の背面に固定し、両側面の上端部に波形凹部を、下部に鈎形切り欠きを設けてなる第２の金具を壁面に固定し、前記第１の金具上部に設けたピンを前記第２の金具の波形凹部に挿嵌し、前記第１の金具の下部に設けたピンを前記第２の金具の鈎形切り欠きに挿嵌し、さらに、鈎形切り欠きを備え、且つ前記第２の金具の両側面の下部に上下方向に摺動可能に添接され、引張コイルばねにより下方向に付勢されるロック金具により、前記第１の金具の下部に設けたピンを下方向に付勢することで第１の金具が第２の金具からの外れを防止し、前記映像機器を壁に取り付ける構成とした。該構成により映像機器を壁取り付けした状態で表示面の前傾角度を変更（調節）
できる。
【０００６】
本発明の第１の発明は、両側面の上部と下部にピンを立設してなる第１の金具を映像機器の背面に固定し、両側面の上端部に波形凹部を、下部に鈎形切り欠きを設けてなる第２の金具を壁面に固定し、前記第１の金具上部に設けたピンを前記第２の金具の波形凹部に挿嵌し、前記第１の金具の下部に設けたピンを前記第２の金具の鈎形切り欠きに挿嵌し、さらに、鈎形切り欠きを備え、且つ前記第２の金具の両側面の下部に上下方向に摺動可能に添接され、引張コイルばねにより下方向に付勢されるロック金具により、前記第１の金具の下部に設けたピンを下方向に付勢することで第１の金具が第２の金具からの外れを防止し、前記映像機器を壁に取り付けるようにしたことを特徴とする壁掛け型映像機器としたもので、上部を簡単に引っ掛け、下部を押し込むだけで容易に固定できという作用が得られ、また振動等による映像機器の不意の落下を防止し、安全を確保できる。
【０００７】
第２の発明は、波形凹部へ挿嵌するピンの位置を変更することにより前記映像機器の取付け角度を調節可能に構成したもので、段階的に表示部の前傾角度を調節できる。
【０００９】
以下、本発明の壁掛け型映像機器についてプラズマディスプレイの例により図面を用いて説明する。
【００１０】
（実施の形態）
図１は本発明の一実施例における壁掛け型プラズマディスプレイ装置の側面図、図３は第２のコ字状金具の側面図、図４は図３の背面図、図５は第１のコ字状金具の側面図、図６は図５の背面図、図７はロック金具の正面図を示す。
図１において、符号１は第２のコ字状金具である。第２のコ字状金具１は取付穴１１を用いて壁面にボルトなどで固定するが、この手段については一般的であり説明は省略する。
【００１１】
図１、図３において、符号２は前記第２のコ字状金具１の上端面に設置した波形凹部を示す。凹部は２箇所に限らず任意に設定してよい。符号３は鈎形切り欠きを示し、ピン６を挿嵌できる程度の幅に設定してある。符号１０は鈎形凹部の上部を示す。
【００１２】
第２のコ字状金具１の両側面の下部にはロック金具７が上下方向に摺動可能に添接され、引張コイルばね９により一方向、図１では下方向に付勢されている。
【００１３】
図７にロック金具７の正面図を示す。このロック金具７は平板状をなし、上端部に引張コイルばねを引っ掛けるばね掛け部１４を切り起こしてなる。２箇所に設けた長穴１３はロック金具を円滑に摺動させるガイドピン（図示せず）が挿嵌される。
【００１４】
図５、図６に示す第１のコ字状金具４は映像機器１００の背面に取付穴１２を介しねじ締結される。また、それぞれの両側面にはピン５、６をそれぞれ上部と下部に立設してなる。
【００１５】
次に、映像機器を壁に取り付ける手順について説明する。まず、第１のコ字状金具４の上部に立設したピン５を第２のコ字状金具１の波形凹部２に引っ掛ける。次に、下部のピン６を第２のコ字状金具１の鈎形切り込み部３に押し込んで装着する。ピン６の挿嵌過程ではロック金具７が上方向（矢印Ｙ方向）に引張ばね９に抗して摺動し、ピン６の挿嵌を妨げない。ピン６が所定の位置に嵌まり込んだ後、ロック金具７は引張ばね９の張力により元の位置に戻り、第２のコ字状金具１からピン６が外れるのを防止する。
【００１６】
第２のコ字状金具１の鈎形切り欠き３とロック金具７の鈎形切り欠き８は、波形凹部２を基点とする半径に合わせた切り欠きであり、波形凹部２を支点にした回転動作で６が入り込む構成である。
【００１７】
図３において、第２のコ字状金具１の鈎形切り欠き３の中で上部切り込み部を符号１０で示す。ロックされた状態のピン６は左右方向の動きを規制されるが、上方向は第２のコ字状金具１の上部切り込み１０の量だけ移動させることができる。この移動量はピン５が、波形形状２の中央の山形を乗り越えるだけの量に設定にしてある。
【００１８】
従って、波形凹部２に引っ掛けたピン５は横の波形凹部にずらすことができる。この状態を第２図に示す。波形凹部２は中央の山形よりも両脇の山形を上部切り込み１０の移動量よりも十分に高くして、ピン５が両脇の山を乗り越えないように設定してある。この状態でフレ−ム金具４は上にずらすことはできるが、ピン６が外れない限りピン５が波形２から外れることはない。
【００１９】
第１のコ字状金具４を第２のコ字状金具１から外すためには、ロック金具７を上方向に押し上げながらピン５を支点にした回転動作でピン６を外すことが必要となる。これは意識的に外す動作であり、誤って映像機器を脱落させる心配がなく安全である。
【００２０】
なお、第２のコ字状金具１の上部の波形凹部２は必要に応じて複数の凹凸を設けることで、映像機器１００の前傾角度は複数段階に設定可能となる。図２は前傾状態を示す側面図である。
【００２１】
また、映像機器はプラズマディスプレイに限るものでなく、液晶、偏平型ＣＲＴ等任意であることは言うまでもない。
【００２２】
【発明の効果】
以上のように本実施例によれば、プラズマディスプレイ等の平板型の映像機器を、板金構造部材とばねにより壁面に容易に取付けできる。また、設置後、取付け角度の変更が容易である。
【図面の簡単な説明】
【図１】本発明の一実施例による壁掛け型映像機器の側面図
【図２】図１の映像機器を前記傾させた状態の側面図
【図３】図１を構成する第２のコ字状金具の側面図
【図４】図３の背面図
【図５】図１を構成する第１のコ字状金具の側面図
【図６】図５の背面図
【図７】図１を構成するロック金具の正面図
【符号の説明】
１  第２のコ字状金具
２  波形凹部
３、８  鈎形切り込み
４  第１のコ字状金具
５、６  ピン
７  ロック金具
９  引張コイルばね
１０  鈎形凹部の上部
１１、１２  取付穴
１３  長穴  １４  ばね掛け部
【図１】
0003567681.tif 000002
【図２】
0003567681.tif 000003
【図３】
0003567681.tif 000004
【図４】
0003567681.tif 000005
【図５】
0003567681.tif 000006
【図６】
0003567681.tif 000007
【図７】
0003567681.tif 000008